(57)【要約】【課題】固形糊のスライダーからの脱落を積極的に抑止することのできる固形糊繰出用容器を提供する。【解決手段】上下方向を向く筒体の下端に装着された尾栓の操作により、ねじ杆４を筒体内で回動させることによって、固形糊を装着したスライダーを、筒体内を往復動させるようにした固形糊繰出用容器において、ねじ杆４の上端部に、ねじ杆４から外方に向けて、固形糊のスライダーからの脱落を抑止するための弾性を有するねじり片８を突設するとともに、このねじり片８を、その軸線方向の外方からの視認において、ねじ杆４における螺旋状をなす雄ねじ９が水平面に対して傾斜する方向と同じ方向に傾斜させて設けたものとする。【選択図】図２
2008168513.tif 000002
【特許請求の範囲】
【請求項１】
上下方向を向く筒体の下端に装着された尾栓の操作により、尾栓と一体に形成されたねじ杆を筒体内で回動させることによって、ねじ杆との螺合と、筒体の内周面に軸線方向に設けた案内突条による案内とによって、筒体内を往復動させるようにしたスライダーに、柱状の固形糊を装着して、筒体の上端開口より、固形糊の上端を出没させるようにするための固形糊繰出用容器において、
ねじ杆の上端部に、ねじ杆から外方に向けて、固形糊のスライダーからの脱落を抑止するための弾性を有するねじり片を突設するとともに、このねじり片を、その軸線方向の外方からの視認において、ねじ杆における螺旋状をなす雄ねじが水平面に対して傾斜する方向と同じ方向に傾斜させて設けたことを特徴とする固形糊繰出用容器。
【請求項２】
ねじり片を、ねじ杆に放射状に複数個をスクリュー状に設けるか、またはねじ杆の外周に螺旋状に設けたことを特徴とする請求項１記載の固形糊繰出用容器。
【請求項３】
ねじり片の軸線方向の外方からの視認において、ねじり片が水平面に対してなす傾斜角度を、ねじ杆における螺旋状をなす雄ねじが、同じく水平面に対してなす傾斜角度よりも大きくしたことを特徴とする請求項１または２記載の固形糊繰出用容器。
【請求項４】
ねじり片の軸線方向の外方からの視認において、ねじり片が水平面に対してなす傾斜角度を、ねじ杆から外方に向かうにしたがって漸次大きくしたことを特徴とする請求項１〜３のいずれかに記載の固形糊繰出用容器。
【請求項５】
ねじり片の軸線方向の外方からの視認において、ねじり片の左右端部が、それぞれ水平面に対してなす傾斜角度を、前記左右端部間の中央部が同じく水平面に対してなす傾斜角度よりも大きくなるように、ねじり片の左右端部を折り曲げたことを特徴とする請求項１〜４のいずれかに記載の固形糊繰出用容器。
【請求項６】
ねじり片の軸線方向の外側端を下向きに湾曲させたことを特徴とする請求項１〜５のいずれかに記載の固形糊繰出用容器。
【発明の詳細な説明】
【技術分野】
【０００１】
本発明は、固形糊のスライダーからの脱落を積極的に抑止しうるようにした固形糊繰出用容器に関する。
【背景技術】
【０００２】
固形糊繰出用容器は、たとえば特許文献１，２等に記載され公知である。
しかし、これら特許文献に記載されているものを初めとして、一般に固形糊繰出用容器においては、筒体の下端に設けられた尾栓を操作して、筒体からの固形糊の上端の出没を繰り返しているうちに、固形糊の外周面と筒体の内周面間の接触による糊の粘着抵抗等により、固形糊が、スライダーから脱落し、筒体内に収容し難くなる場合がある。これを防止するため、本願出願人は、先に固形糊繰出用容器の筒体の内周面に微小突起を多数設けて、固形糊の外周面と筒体の内周面との接触面積を減少させるとともに、固形糊の外周表層の糊を一部流動化させて固形糊の外周面と筒体の内周面間の摩擦抵抗を減少させるようにした発明を提供した（特許文献３）。
【０００３】
さらに、本願出願人は、スライダーのねじ杆からの脱落を防止するため、ねじ杆の上端部に、弾性を有する羽根状の係止突起を径方向に突出させた発明をも提供した（特許文献４）。
【０００４】
しかし、特許文献３に記載のものは、固形糊のスライダーからの脱落防止に有効ではあるが、脱落を完全に防止することは、必ずしもできない場合がある。
【０００５】
また、特許文献４に記載のものは、スライダーのねじ杆からの脱落防止には有効であるが、固形糊のスライダーからの脱落防止には、場合によっては、むしろ不利に作用することもある。
【特許文献１】特開平１１−５９０８０号公報
【特許文献２】特公平８−５５０２号公報
【特許文献３】特開２００６−１３０７５０号公報
【特許文献４】特開２００１−１５０８７８号公報
【発明の開示】
【発明が解決しようとする課題】
【０００６】
本発明は、上記の現状に鑑み、固形糊のスライダーからの脱落を積極的に抑止することのできる固形糊繰出用容器を提供することを目的とする。
【課題を解決するための手段】
【０００７】
上記課題は、特許請求の範囲における各請求項に記載するように、次のような構成からなる発明によって解決される。
（１）上下方向を向く筒体の下端に装着された尾栓の操作により、尾栓と一体に形成されたねじ杆を筒体内で回動させることによって、ねじ杆との螺合と、筒体の内周面に軸線方向に設けた案内突条による案内とによって、筒体内を往復動させるようにしたスライダーに、柱状の固形糊を装着して、筒体の上端開口より、固形糊の上端を出没させるようにするための固形糊繰出用容器において、ねじ杆の上端部に、ねじ杆から外方に向けて、固形糊のスライダーからの脱落を抑止するための弾性を有するねじり片を突設するとともに、このねじり片を、その軸線方向の外方からの視認において、ねじ杆における螺旋状をなす雄ねじが水平面に対して傾斜する方向と同じ方向に傾斜させて設けたことを特徴とする固形糊繰出用容器とする。
【０００８】
（２）上記(１)項において、ねじり片を、ねじ杆に放射状に複数個をスクリュー状に設けるか、またはねじ杆の外周に螺旋状に設ける。
【０００９】
（３）上記(１)項または(２)項において、ねじり片の軸線方向の外方からの視認において、ねじり片が水平面に対してなす傾斜角度を、ねじ杆における螺旋状をなす雄ねじが、同じく水平面に対してなす傾斜角度よりも大きくする。
【００１０】
（４）上記(１)項〜(３)項のいずれかにおいて、ねじり片の軸線方向の外方からの視認において、ねじり片が水平面に対してなす傾斜角度を、ねじ杆から外方に向かうにしたがって漸次大きくする。
【００１１】
（５）上記(１)項〜(４)項のいずれかにおいて、ねじり片の軸線方向の外方からの視認において、ねじり片の左右端部が、それぞれ水平面に対してなす傾斜角度を、前記左右端部間の中央部が同じく水平面に対してなす傾斜角度よりも大きくなるように、ねじり片の左右端部を折り曲げる。
【００１２】
（６）上記(１)項〜(５)項のいずれかにおいて、ねじり片の軸線方向の外側端を下向きに湾曲させる。
【発明の効果】
【００１３】
本発明によると、次のような効果が奏せられる。
請求項１記載の発明によれば、尾栓の操作によってねじ杆を回動させてスライダーに装着させた固形糊を筒体内に引き込む際に、ねじり片は、固形糊のうち、ねじり片が回動する部分に位置する固形糊を、かき混ぜるようにして固形糊中を軸線方向に移動するが、この際、ねじ杆の上端部に設けたねじり片を、その軸線方向の外方からの視認において、ねじ杆における螺旋状をなす雄ねじが、水平面に対して傾斜する方向と同じ方向に傾斜させてあるため、ねじり片が固形糊を下方に押すようにしてかき混ぜながら、固形糊中を移動する。
ねじり片が、固形糊を下方に押す力は、そのまま固形糊のスライダーからの脱落を積極的に抑止する作用をなし、このような効果を奏する固形糊繰出用容器が得られる。
ねじり片は弾性を有しているため、スライダーをねじ杆に着脱する際には、ねじり片を湾曲させて容易に行うことができる。
【００１４】
請求項２記載の発明によれば、固形糊のスライダーからの脱落を抑止する作用が大きくなるとともに、脱落抑止力を固形糊にほぼ均一に与えることができる。
【００１５】
請求項３記載の発明によれば、ねじ杆の回動により、スライダーが下方に移動する距離よりも、もっと長い距離だけ固形糊を下方に向けて移動させようとする力が、ねじり片により固形糊に加えられるため、この力の負荷により、固形糊のスライダーからの脱落がより一層良好に抑止される。
【００１６】
請求項４記載の発明によれば、ねじり片の傾斜角度を、ねじ杆から外方に向かうにしたがって漸次大きくしてあるため、この大きい傾斜角度を有する部分で長い円周に沿って固形糊を、下方に向けて移動させようとする大きな力が負荷され、固形糊のスライダーからの脱落がより一層良好に抑止される。
【００１７】
請求項５記載の発明によれば、傾斜角度が大きいねじり片の左右端部でもって、固形糊を下方に向けて押す大きな力が負荷されるため、固形糊のスライダーからの脱落がより一層良好に抑止される。
【００１８】
請求項６記載の発明によれば、ねじり片により、下方に押される固形糊部分が、ねじり片の軸線方向の外側端を下向きに湾曲させてあるため、ねじり片の外側に向けて流動して、ねじり片による下向きの力が、固形糊に有効に作用しなくなることを効果的に防止することができる。そのため固形糊のスライダーからの脱落がより一層良好に抑止される。
【発明を実施するための最良の形態】
【００１９】
以下、本発明の実施形態を、図面を参照して説明する。
図１は、本発明の一実施形態を示す、固形糊を装着した固形糊繰出用容器の縦断面図、図２は、図１に示す固形糊繰出用容器におけるねじ杆の上端部近傍を示す要部拡大図であり、（ａ）は、図１において左側方から見た図、（ｂ）は、同じく図１において正面から見た図、（ｃ）は、上方斜視図である。
【００２０】
図１に示すように、本発明の固形糊繰出用容器は、上端開口１ａにキャップ２が被冠された有底の上下方向の筒体１と、この筒体１の下端に装着された尾栓３と、この尾栓３と一体に形成されたねじ杆４と、このねじ杆４に螺合されたスライダー５とよりなる。
【００２１】
尾栓３を操作して、ねじ杆４を回動させることにより、スライダー５を、ねじ杆４との螺合と、筒体１の内周面に軸線方向に設けた案内突条６による案内とによって、筒体１内を往復動させて、スライダー５に下端を装着した固形糊７の上端７ａを筒体１の上端開口１ａから出没させうるようになっている。
【００２２】
図２に示すように、ねじ杆４の上端部の両側には、ねじ杆４から外方に向けて、固形糊７のスライダー５からの脱落を抑止するための弾性を有するねじり片８，８が突設されている。
【００２３】
ねじり片８，８は、ねじ杆４の外周から、ねじ杆４の直径方向に外方に向かって帯板状に延び、その遊端８ａは、平面視において弧状となっている。ねじり片８は、その遊端８ａがねじ杆４の外周面よりも外側に位置するように突設されている。
【００２４】
このねじり片８は、軸線方向の外方からの視認において、ねじ杆４における螺旋状をなす雄ねじ９が、水平面に対して傾斜する方向と同じ方向に傾斜させて設けられている。
【００２５】
ねじり片８が水平面に対してなす傾斜角度α１は、ねじ杆４における螺旋状をなす雄ねじ９が水平面に対してなす傾斜角度β１よりも、やや大きくなっている。ねじ杆４の両側から、それぞれ外方に向けて突設されているねじり片８，８は、互いに逆方向に傾斜している。このように傾斜させたねじり片８を設けることにより、固形糊７を筒体１内に引き込む際における固形糊７のスライダー５からの脱落を、次のような作用で抑止することができる。
【００２６】
固形糊７を筒体１内に引き込む際には、尾栓３を操作して、ねじ杆４を図２（ａ）において矢印Ａで示すように平面視時計回りに回動させる。これによりスライダー５は、ねじ杆４に対して相対的に下向きに移動させられ、下端がねじ杆４に装着されている固形糊７は、筒体１内に引き込まれる。
【００２７】
この際、固形糊７には、その外周面と筒体１の内周面間の接触による糊の粘着抵抗等により、スライダー５から脱落する方向の上向きの力が負荷される。
【００２８】
一方、ねじり片８は、固形糊７のうち、ねじり片８が回動する部分に位置する固形糊部分を、かき混ぜるようにして、固形糊７の中を、固形糊７に対して相対的に上方に移動するが、この際、ねじり片８は、固形糊７を下方に押すようにしてかき混ぜながら固形糊７中を移動する。
【００２９】
ねじり片８が固形糊７を下方に押す力は、そのまま、固形糊７のスライダー５からの脱落を抑止する作用をなす。
【００３０】
特にねじり片８の前記傾斜角度α１が、ねじ杆４における雄ねじ９の前記傾斜角度β１より大きい場合は、ねじ杆４の回動により、スライダー５が下方に移動する距離よりも長い距離だけ、固形糊７を下方に向けて移動させようとする力が、ねじり片８により固形糊７に加えられるため、この力の負荷により、固形糊７のスライダー５からの脱落が、より一層良好に抑止される。
【００３１】
ねじり片８は弾性を有しており、スライダー５をねじ杆４に着脱する際には、ねじり片８を湾曲させて容易に行うことができる。
【００３２】
なお、固形糊７の外周面と筒体１の内周面間の接触による糊の粘着抵抗がそれほど大きくない場合には、ねじり片８の傾斜角度α１を、ねじ杆４における雄ねじ９の傾斜角度β１よりも必ずしも大きくしなくても、相応の固形糊７のスライダー５からの脱落抑止効果が認められ、このような形態も本発明の一実施形態である。
【００３３】
図３は、本発明におけるねじり片１０の第２実施形態を示す図であり、図３（ａ），（ｂ）は、それぞれ図２（ａ）、（ｂ）に対応する図である。
【００３４】
ねじり片１０の軸線方向の外方からの視認において、ねじり片１０が水平面に対してなす傾斜角度α２を、ねじ杆１１から径方向の外方に向かうにしたがって漸次大きくしてある。
【００３５】
このようにすることにより、ねじり片１０における大きい傾斜角度を有する外側部分で、長い円周に沿って、固形糊７を下方に向けて移動させようとする大きな力が生じ、固形糊７のスライダー５からの脱落が、より一層良好に抑止される。
【００３６】
図４は、本発明におけるねじり片１２の第３実施形態を示す図であり、図４（ａ），（ｂ）は、それぞれ図２（ａ），（ｂ）に対応する図である。ねじり片１２の軸線方向の外方からの視認において、ねじり片１２の左右端部１２ａ，１２ｂが、それぞれ水平面に対してなす傾斜角度α３，α４を、前記左右端部１２ａ，１２ｂ間の中央部が同じく水平面に対してなす傾斜角度α５よりも大きくなるように、ねじり片１２の左右端部１２ａ，１２ｂを折り曲げてある。
【００３７】
このようにすることにより、ねじり片１２における傾斜角度が大きい左右端部をもって、固形糊７を下方に向けて押す大きな力が生じるため、固形糊７のスライダー５からの脱落が、より一層良好に抑止される。
【００３８】
図５は、本発明におけるねじり片１４の第４実施形態を示す図であり、図５（ａ），（ｂ）は、それぞれ図２（ａ），（ｂ）に対応する図である。
【００３９】
ねじり片１４の軸線方向の外方からの視認において、ねじり片１４が水平面に対してなす傾斜角度α６を、ねじ杆１５から径方向の外方に向かうにしたがって漸次大きくするとともに、ねじり片１４の軸線方向の外側端１４ａ，１４ａを下向きに湾曲させてある。
【００４０】
これにより、ねじり片１４により、下方に押される固形糊部分が、ねじり片１４の軸線方向の外側に向けて流動して、ねじり片１４による下向きの力が固形糊７に有効に作用しなくなることを、効果的に防止することができる。そのため、固形糊７のスライダー５からの脱落を、より一層良好に抑止することができる。
【００４１】
以上の実施形態では、ねじり片がねじ杆の直径方向に２個設けられている場合について記載したが、ねじり片をねじ杆に放射状に複数個設けて、スクリュー状にすることも好ましい形態である。
【００４２】
このようにすることにより、固形糊のスライダーからの脱落を抑止する作用が大きくなるとともに、脱落抑止力を固形糊に均一に与えることができる。
【図面の簡単な説明】
【００４３】
【図１】本発明の一実施形態を示す、固形糊を装着した固形糊繰出用容器の縦断面図である。
【図２】図１に示す固形糊繰出用容器におけるねじ杆の上端部近傍を示す要部拡大図である。（ａ）は、図１において左側方から見た図、（ｂ）は、同じく図１において正面から見た図、（ｃ）は、上方斜視図である。
【図３】本発明におけるねじり片の第２実施形態を示す図であり、図３（ａ), (ｂ）は、それぞれ図２（ａ），（ｂ）に対応する図である。
【図４】本発明におけるねじり片の第３実施形態を示す図であり、図４（ａ),（ｂ）は、それぞれ図２（ａ），（ｂ）に対応する図である。
【図５】本発明におけるねじり片の第４実施形態を示す図であり、図５（ａ),（ｂ）は、それぞれ図２（ａ），（ｂ）に対応するである。
【符号の説明】
【００４４】
１  筒体
１ａ  上端開口
２  キャップ
３  尾栓
４  ねじ杆
５  スライダー
６  案内突条
７  固形糊
７ａ  上端
８  ねじり片
８ａ  遊端
９  雄ねじ
１０  ねじり片
１１  ねじ杆
１２  ねじり片
１２ａ  左端部
１２ｂ  右端部
１３  ねじ杆
１４  ねじり片
１４ａ  外側端
１５  ねじ杆
【図１】
2008168513.tif 000003
【図２】
2008168513.tif 000004
【図３】
2008168513.tif 000005
【図４】
2008168513.tif 000006
【図５】
2008168513.tif 000007